(57)【特許請求の範囲】
【請求項１】
同一の被写体を撮像し、画像をライン毎に順次読み出す複数の撮像素子と、
前記複数の撮像素子への結像画像が、それぞれの撮像素子において結像位置が異なるように結像させる光学系と、
前記複数の撮像素子がそれぞれ撮像した、互いに異なる結像位置の有効画素の先頭位置からそれぞれの有効画素を同一タイミングで読み出すための各画像読み出しタイミングを変更する複数の前記有効画素間の先頭ライン数差を考慮した所定時間差の情報を記録する記録部と、
プロセッサからのマスター同期信号に基づいて、前記複数の撮像素子の画像読み出しタイミングを独立制御する複数の同期信号を生成し、前記複数の撮像素子がそれぞれ撮像した互いに異なる結像位置の有効画素の先頭位置を一致させて同一のタイミングにおいて読み出すために、前記マスター同期信号に対して前記複数の同期信号を前記記録部からの前記それぞれの所定時間差ずらして前記複数の撮像素子に供給し、前記複数の撮像素子の画像読み出しタイミングを制御するタイミング制御回路と、
を備えることを特徴とする撮像装置。
【請求項２】
前記所定時間差をΔｔ、１フレームにおいて、前記互いに異なる結像位置の有効画素間の先頭ラインのライン数差をΔＬ、１フレームの合計ライン数をＬ、フレームレートをＲとした場合、
前記所定時間差Δｔは、
Δｔ＝Ｒ×ΔＬ／Ｌの関係であることを特徴とする請求項１に記載の撮像装置。
【請求項３】
前記複数の撮像素子は、第１及び第２の撮像素子であって、
前記第１の撮像素子は、オプティカルブラック画素、未使用画素、及び、有効画素の順で読み出した第１の映像データを出力し、
前記第２の撮像素子は、オプティカルブラック画素、有効画素、及び、未使用画素の順で読み出した第２の映像データを出力することを特徴とする請求項１に記載の撮像装置。
【請求項４】
前記第１の映像データ及び前記第２の映像データの映像フォーマットを一致させる処理を行うラインメモリを有し、
前記ラインメモリは、前記第１の映像データのオプティカルブラック画素を、前記第１の映像データの前記有効画素の直前に付け替える処理を行うことを特徴とする請求項３に記載の撮像装置。
【請求項５】
前記複数の撮像素子は、第１及び第２の撮像素子であって、
前記第１の撮像素子は、オプティカルブラック画素、及び、有効画素の順で読み出した第１の映像データを出力し、
前記第２の撮像素子は、有効画素、及び、オプティカルブラック画素の順で読み出した第２の映像データを出力することを特徴とする請求項１に記載の撮像装置。
【請求項６】
前記第１の映像データ及び前記第２の映像データの映像フォーマットを一致させる処理を行うラインメモリを有し、
前記ラインメモリは、１フレーム前の前記第２の映像データのオプティカルブラック画素を、現フレームの前記第２の映像データの有効画素の直前に付け替える処理を行うことを特徴とする請求項５に記載の撮像装置。
【発明の詳細な説明】
【技術分野】
【０００１】
本発明は、画像をライン毎に順次読み出す複数の撮像素子を備えた撮像装置に関する。
【背景技術】
【０００２】
従来、被検体の内部の被写体を撮像する内視鏡、及び、内視鏡により撮像された被写体の観察画像を生成する画像処理装置等を具備する内視鏡システムが、医療分野及び工業分野等において広く用いられている。【０００３】
このような内視鏡システムに内視鏡としては、従来、所定のクロック信号により駆動される撮像素子（例えばＣＭＯＳイメージセンサ）を採用し、また、この撮像素子から出力される撮像信号を伝送するケーブルを内部に配設する内視鏡が知られている。【０００４】
さらに、近年、左右２つの撮像光学系及び撮像素子を用いて異なる視点から被写体を撮像する立体内視鏡が用いられるようになっている。このような左右の撮像素子を備える立体内視鏡は、挿入部の細径化のために、撮像素子を横置き、即ち、撮像素子を挿入部の挿入軸に対して水平に置く構成が採用される（例えば、米国特許第８１９４１２１号明細書参照）。【０００５】
例えば左右の撮像素子がそれぞれ配置された２つの基板を挿入部に配置する場合、挿入部の細径化のために２つの基板を挿入部の例えば上下に配置する構成が用いられる。挿入部の上下に撮像素子が配置された基板を配置する場合、左右の撮像素子によって撮像される被写体像が反転してしまう。【０００６】
ＣＭＯＳイメージセンサは、垂直方向の読み出しを反転させる反転読み出し機能を有しているため、撮像素子がＣＭＯＳイメージセンサである場合、一方の撮像素子の垂直方向の読み出しを反転させることで、被写体像が反転している場合でも、同じ方向から被写体像を読み出すことができる。【０００７】
しかしながら、左右の撮像素子において、画素領域における有効画素の領域が異なっている場合、反転読み出し機能で同時に読み出しを開始しても、有効画素の領域が同時に読み出されないという問題が発生する。【０００８】
一般的に、内視鏡は光源装置による発光制御により撮像を行うが、光源の光量は時間的に変化することがある。そのため、順次読み出しを行う撮像素子においては、左右の撮像素子が有効画素の領域を同時に読み出さないと、露光条件の変化等によって、左右の画像を合成した際に画像にムラやノイズが発生する虞がある。【０００９】
そこで、本発明は、順次読み出しを行う複数の撮像素子の同じ位置の画素情報を同じタイミングで読み出すことができる撮像装置を提供することを目的とする。
【発明の開示】
【課題を解決するための手段】
【００１０】
本発明の一態様の撮像装置は、同一の被写体を撮像し、画像をライン毎に順次読み出す複数の撮像素子と、前記複数の撮像素子への結像画像が、それぞれの撮像素子において結像位置が異なるように結像させる光学系と、前記複数の撮像素子がそれぞれ撮像した、互いに異なる結像位置の有効画素の先頭位置からそれぞれの有効画素を同一タイミングで読み出すための各画像読み出しタイミングを変更する複数の前記有効画素間の先頭ライン数差を考慮した所定時間差の情報を記録する記録部と、プロセッサからのマスター同期信号に基づいて、前記複数の撮像素子の画像読み出しタイミングを独立制御する複数の同期信号を生成し、前記複数の撮像素子がそれぞれ撮像した互いに異なる結像位置の有効画素の先頭位置を一致させて同一のタイミングにおいて読み出すために、前記マスター同期信号に対して前記複数の同期信号を前記記録部からの前記それぞれの所定時間差ずらして前記複数の撮像素子に供給し、前記複数の撮像素子の画像読み出しタイミングを制御するタイミング制御回路と、を備える。
【図面の簡単な説明】
【００１１】
【図１】本発明の第１の実施形態の撮像装置（内視鏡）を含む内視鏡システムの構成を示す図である。
【図２Ａ】第１の実施形態の挿入部の先端部の構成を示す斜視図である。
【図２Ｂ】図２Ａを矢印Ａ方向（背面方向）から見た図である。
【図２Ｃ】図２Ａを矢印Ｂ方向（上面方向）から見た図である。
【図３】第１の実施形態の内視鏡システムの電気的な構成を示すブロック図である。
【図４】撮像素子２１及び３１の撮像領域の一例を説明するための図である。
【図５】撮像素子２１及び３１によるデータの読み出しタイミングの一例を説明するためのタイミングチャートである。
【図６】第２の実施形態の撮像素子の撮像領域の一例を説明するための図である。
【図７】撮像素子２１Ａ及び３１Ａによるデータの読み出しタイミングの一例を説明するためのタイミングチャートである。
【図８Ａ】第３の実施形態の挿入部の先端部の構成を示す斜視図である。
【図８Ｂ】図８Ａを矢印Ｃ方向（背面方向）から見た図である。
【図８Ｃ】図８Ａを矢印Ｄ方向（手前方向）から見た図である。
【発明を実施するための最良の形態】
【００１２】
以下、図面を参照して本発明の実施形態を説明する。【００１３】
（第１の実施形態）
図１は、本発明の第１の実施形態の撮像装置（内視鏡）を含む内視鏡システムの構成を示す図である。なお、本実施形態においては、撮像装置として、固体撮像素子を有し被検体の内部の被写体を撮像する内視鏡を例に挙げて説明する。【００１４】
図１に示すように、本第１の実施形態の撮像装置（内視鏡）を有する内視鏡システム１は、被検体を観察して撮像信号を出力する内視鏡２と、内視鏡２に接続され、内視鏡２からの撮像信号に対して所定の画像処理を施すビデオプロセッサ３と、被検体を照明するための照明光を供給する光源装置４と、撮像信号に応じた観察画像を表示するモニタ装置５と、を有している。【００１５】
内視鏡２は、被検体の体腔内等に挿入される細長の挿入部６と、挿入部６の基端側に配設され術者が把持して操作を行う内視鏡操作部１０と、内視鏡操作部１０の側部から延出するように一方の端部が設けられたユニバーサルコード４１と、を有して構成されている。【００１６】
挿入部６は、先端側に設けられた硬質の先端部７と、先端部７の後端に設けられた湾曲自在の湾曲部８と、湾曲部８の後端に設けられた長尺かつ可撓性を有する可撓管部９と、を有して構成されている。【００１７】
ユニバーサルコード４１の基端側にはコネクタ４２が設けられ、コネクタ４２は光源装置４に接続されるようになっている。すなわち、コネクタ４２の先端から突出する流体管路の接続端部となる口金（図示せず）と、照明光の供給端部となるライトガイド口金（図示せず）とは光源装置４に着脱自在で接続されるようになっている。【００１８】
さらに、コネクタ４２の側面に設けた電気接点部には接続ケーブル４３の一端が接続されるようになっている。この接続ケーブル４３には、例えば内視鏡２からの撮像信号を伝送する信号線が内設され、また、他端のコネクタ部はビデオプロセッサ３に接続されるようになっている。【００１９】
なお、コネクタ４２には、後述するコネクタ回路５１（図３参照）が配設されている。コネクタ回路５１の構成については後述する。【００２０】
次に、挿入部６の先端部７の構成について説明する。図２Ａは、第１の実施形態の挿入部の先端部の構成を示す斜視図であり、図２Ｂは、図２Ａを矢印Ａ方向（背面方向）から見た図であり、図２Ｃは、図２Ａを矢印Ｂ方向（上面方向）から見た図である。【００２１】
図２Ａ〜図２Ｃに示すように、挿入部６の先端部７には、右眼用の対物光学系２０と、対物光学系２０における結像面に配置された撮像素子２１と、撮像素子２１が配置される基板２２と、が配設されている。さらに、挿入部６の先端部７には、左目用の対物光学系３０と、対物光学系３０における結像面に配置された撮像素子３１と、撮像素子３１が配置される基板３２と、が配設されている。【００２２】
対物光学系２０は、対物レンズ２３と、プリズム２４とを有して構成されている。また、対物光学系３０は、対物レンズ３３と、プリズム３４とを有して構成されている。なお、対物光学系２０は、対物レンズ２３と、プリズム２４とを有する構成に限定されることなく、例えば、複数の対物レンズと、プリズムとを有する構成であってもよい。また、対物光学系３０は、対物レンズ３３と、プリズム３４とを有する構成に限定されることなく、例えば、複数の対物レンズと、プリズムとを有する構成であってもよい。【００２３】
プリズム２４は、直角プリズムであり、対物レンズ２３の後側に配置されている。プリズム２４は、対物レンズ２３から出射された被写体からの反射光を全反射し、撮像素子２１に出射する。同様に、プリズム３４は、直角プリズムであり、対物レンズ３３の後側に配置されている。プリズム３４は、対物レンズ３３から出射された被写体からの反射光を全反射し、撮像素子３１に出射する。【００２４】
本実施形態では、挿入部６の細径化を図るために、基板２２は、先端部７の上側に配置され、基板３２は、先端部７の下側に配置されている。このような構成により、右眼用の対物光学系２０を介して撮像素子２１に撮像される被写体像と、左目用の対物光学系３０を介して撮像素子３１に撮像される被写体像とが上下反転している。すなわち、対物光学系２０及び３０は、撮像素子２１及び３１への結像画像を上下に反転させて結像させることになる。このように、対物光学系２０及び３０は、複数の撮像素子２１及び３１への結像画像が、それぞれの撮像素子２１及び３１において結像位置が異なるように結像させる光学系を構成する。【００２５】
以下、本第１の実施形態の内視鏡システム１の電気的構成について、図３を参照して説明する。図３は、第１の実施形態の内視鏡システムの電気的な構成を示すブロック図である。【００２６】
上述したように、先端部７には撮像素子２１及び３１が配設されるが、撮像素子２１及び３１は、本実施形態において、ローリングシャッタ方式、即ち、ライン毎に順次読み出しを行うＣＭＯＳイメージセンサにより構成される固体撮像素子である。【００２７】
図３に示すように、コネクタ４２には、コネクタ回路５１が配設されている。コネクタ回路５１は、ＦＰＧＡ５２と、メモリ５６とを有して構成されている。ＦＰＧＡ５２は、いわゆるＦＰＧＡ（Field Programmable Gate Array）により構成され、ビデオプロセッサ３からの動作制御を受け、撮像素子２１及び３１の駆動、および、撮像素子２１及び３１からの撮像信号の処理等の機能の他、内視鏡２における各種回路を制御する機能を備えている。ＦＰＧＡ５２は、Ｉ２Ｃ制御回路５３と、Ｉ２Ｃ制御回路５４と、ラインメモリ５５とを有して構成されている。【００２８】
また、ビデオプロセッサ３は、ＦＰＧＡ６１を備える。ＦＰＧＡ６１は、画像処理部６２と、同期部６３とを有して構成されている。【００２９】
同期部６３は、撮像素子２１及び３１の駆動を制御するためのマスター同期信号をＩ２Ｃ制御回路５３及び５４に出力する。また、メモリ５６には、撮像素子２１と撮像素子３１とで読み出しのタイミングを変更するための情報（所定時間差の情報）が格納されており、この所定時間差の情報の情報がＩ２Ｃ制御回路５３及び５４に入力される。【００３０】
Ｉ２Ｃ制御回路５３は、同期部６３からのマスター同期信号及びメモリ５６からの所定時間差の情報に応じて同期信号Ｒ１を生成し、撮像素子２１に出力する。また、Ｉ２Ｃ制御回路５４は、同期部６３からのマスター同期信号及びメモリ５６からの所定時間差の情報に応じて同期信号Ｌ１を生成し、撮像素子３１に出力する。【００３１】
１フレームにおいて、所定時間差をΔｔ、複数の有効画素間の先頭ラインのライン数差をΔＬ、１フレームの合計ライン数をＬ、フレームレートをＲとした場合、所定時間差Δｔは、Δｔ＝Ｒ×ΔＬ／Ｌの関係となる。【００３２】
同期信号Ｒ１と同期信号Ｌ１は、メモリ５６からの所定時間差の情報に応じて、読み出しタイミングが変更された同期信号となる。これにより、本実施形態では、撮像素子２１及び撮像素子３１の有効画素の領域の読み出しのタイミングが同一のタイミングとなるように制御している。なお、同期信号Ｒ１及びＬ１は、本実施形態においては、いわゆるＩ２Ｃ（Inter-Integrated Circuit）により伝送されるようになっている。【００３３】
このように、Ｉ２Ｃ制御回路５３及び５４は、複数の撮像素子２１及び３１が撮像した被写体の同一位置の複数の有効画像の先頭位置を一致させて読み出すために、複数の撮像素子２１及び３１の画像読み出しタイミングを制御するタイミング制御回路を構成する。【００３４】
撮像素子２１により撮像された映像データＲ２、及び、撮像素子３１により撮像された映像データＬ２は、ラインメモリ５５に入力される。ラインメモリ５５は、映像データＲ２及び映像データＬ２の映像フォーマットを一致させる処理を行い、映像フォーマットが一致した映像データＲ３及び映像データＬ３をビデオプロセッサ３の画像処理部６２に出力する。詳細は後述するが、ラインメモリ５５は、オプティカルブラック（ＯＢ）の位置を変更する、あるいは、付け替える処理を行った映像データＲ３及び映像データＬ３を出力する。【００３５】
画像処理部６２は、右目用の映像データＲ３と左目用の映像データＬ３とを合成し、合合成後の映像データをモニタ装置５に出力する。これにより、モニタ装置５に視差を有する立体映像が表示されることになる。【００３６】
次に、このように構成された内視鏡システム１の動作について、図４及び図５を用いて説明する。図４は、撮像素子２１及び３１の撮像領域の一例を説明するための図であり、図５は、撮像素子２１及び３１によるデータの読み出しタイミングの一例を説明するためのタイミングチャートである。【００３７】
図４に示すように、撮像素子２１は、１から１００ラインまでがオプティカルブラックの領域２５、１０１〜２００ラインまでが未使用データの領域２６、２０１から１０００ラインまでが有効画素の領域２７となっている。【００３８】
一方、撮像素子３１は、１から１００ラインまでがオプティカルブラックの領域３５、１０１から９００ラインまでが有効画素の領域３６、９０１〜１０００ラインまでが未使用データの領域３７となっている。【００３９】
このように、撮像素子２１と撮像素子３１とは、有効画素のラインが異なっているため、撮像素子２１と撮像素子３１とが同じタイミングで読み出しを開始すると、撮像素子２１と撮像素子３１との同じ位置の画素が同じタイミングで読み出せない。すなわち、撮像素子２１は有効画素の領域２７が２０１ライン目からに対し、撮像素子３１は有効画素の領域３６が１０１ライン目からとなっており、撮像素子３１は、撮像素子２１よりも１００ライン分早く有効画素の領域３６を読み出してしまう。換言すると、撮像素子３１は、撮像素子２１よりも１００ライン分遅く読み出しを開始することで、撮像素子２１の有効画素の領域２７と同じタイミングで有効画素の領域３６の読み出しを開始することができる。【００４０】
撮像素子３１が撮像素子２１よりも１００ライン分遅く読み出しを開始するための所定時間差の情報（すなわち、読み出しタイミングを制御するための情報）は、上述したように、メモリ５６に記憶されており、Ｉ２Ｃ制御回路５３及び５４に入力される。これにより、Ｉ２Ｃ制御回路５３及び５４は、メモリ５６からの読み出しタイミングを制御するための情報に応じて、撮像素子２１の有効画素の領域２７と撮像素子３１の有効画素の領域３６とが同じタイミングで読み出されるように、同期信号Ｒ１及びＬ１を生成する。【００４１】
この結果、図５に示すように、Ｉ２Ｃ制御回路５４から出力される同期信号Ｌ１は、Ｉ２Ｃ制御回路５３から出力される同期信号Ｒ１に対して、所定時間差ずれて生成されることになる。【００４２】
撮像素子２１は、同期信号Ｒ１に応じて、オプティカルブラックの領域２５のＯＢデータ（ＯＢ画素）、未使用データの領域２６の未使用データ（未使用画素）、及び、有効画素の領域２７の撮像領域データ（有効画素）の順で読み出した映像データＲ２をラインメモリ５５に出力する。一方、撮像素子３１は、同期信号Ｌ１に応じて、オプティカルブラックの領域３５のＯＢデータ（ＯＢ画素）、有効画素の領域３６の撮像領域データ（有効画素）、及び、未使用データ（未使用画素）の領域３７の未使用データの順で読み出した映像データＬ２をラインメモリに出力する。【００４３】
同期信号Ｌ１は、同期信号Ｒ１に対して所定時間差ずれているため、撮像素子２１の撮像領域データと撮像素子３１の撮像領域データとが同一のタイミングで読み出されることになる。【００４４】
ラインメモリ５５は、撮像素子２１から出力された映像データＲ２を一時的に記憶するとともに、ＯＢデータを撮像領域データの直前に付け替えた映像データＲ３をビデオプロセッサ３の画像処理部６２に出力する。また、ラインメモリ５５は、撮像素子３１から出力された映像データを一時的に記憶し、映像データＬ３をビデオプロセッサ３の画像処理部６２に出力する。これにより、映像フォーマットが一致した映像データＲ３及びＬ３が画像処理部６２に入力されることになる。この結果、ビデオプロセッサ３の画像処理部６２は、映像データＲ３及び映像データＬ３を単に合成するだけで、視差を有する立体映像を生成することができる。【００４５】
以上のように、本実施形態の内視鏡２は、メモリ５６に格納された所定時間差の情報に応じて、撮像素子２１及び３１を独立で制御するための同期信号Ｒ１及びＬ１を生成し、撮像素子２１の有効画素の領域２７と撮像素子３１の有効画素の領域３６とを同じタイミングで読み出すようにしている。この結果、本実施形態の内視鏡（撮像装置）によれば、順次読み出しを行う複数の撮像素子の同じ位置の画素情報を同じタイミングで読み出すことができる。【００４６】
（第２の実施形態）
次に、第２の実施形態について説明する。【００４７】
第２の実施形態の内視鏡システム１の全体構成は、第１の実施形態と同様である。第２の実施形態では、撮像素子の構成が第１の実施形態とは異なっている。図６は、第２の実施形態の撮像素子の撮像領域の一例を説明するための図である。【００４８】
図６に示すように、第２の実施形態の内視鏡システム１は、第１の実施形態の撮像素子２１及び３１に代わり、それぞれ撮像素子２１Ａ及び３１Ａを用いて構成されている。撮像素子２１Ａ及び３１Ａは、オプティカルブラックの領域が同じ方向に配置されている。【００４９】
撮像素子２１Ａは、１から１００ラインまでがオプティカルブラックの領域２８、１０１から１０００ラインまでが有効画素の領域２９となっている。一方、撮像素子３１Ａは、１から９００ラインまでが有効画素の領域３８、９０１から１０００ラインまでがオプティカルブラックの領域３９となっている。【００５０】
図７は、撮像素子２１Ａ及び３１Ａによるデータの読み出しタイミングの一例を説明するためのタイミングチャートである。【００５１】
Ｉ２Ｃ制御回路５３及び５４による同期信号Ｒ１及びＬ１の生成手順は、第１の実施形態と同様であり、撮像素子２１Ａ及び３１Ａの撮像領域データが同じタイミングで読み出されるように生成される。すなわち、Ｉ２Ｃ制御回路５４から出力される同期信号Ｌ１は、Ｉ２Ｃ制御回路５３から出力される同期信号Ｒ１に対して、所定時間差ずれて生成されることになる。【００５２】
撮像素子２１Ａは、同期信号Ｒ１に応じて、オプティカルブラックの領域２８のＯＢデータ、及び、有効画素の領域２９の撮像領域データの順で読み出した映像データＲ２をラインメモリ５５に出力する。一方、撮像素子３１Ａは、同期信号Ｌ１に応じて、有効画素の領域３８の撮像領域データ、及び、オプティカルブラックの領域３９のＯＢデータの順で読み出した映像データＬ２をラインメモリ５５に出力する。【００５３】
ラインメモリ５５は、映像フォーマットが一致した映像データＲ３及びＬ３を生成する。具体的には、ラインメモリ５５は、映像データＬ２に対して、１フレーム前の映像データのＯＢデータを現フレームの撮像領域データの先頭に付け替える制御を行う。これにより、映像フォーマットが一致した映像データＲ３及びＬ３がラインメモリ５５から出力され、ビデオプロセッサ３の画像処理部６２に入力されることになる。その他の構成及び動作は、第１の実施形態と同様である。  
この結果、本実施形態の内視鏡（撮像装置）によれば、第１の実施形態と同様に、順次読み出しを行う複数の撮像素子の同じ位置の画素情報を同じタイミングで読み出すことができる。【００５４】
（第３の実施形態）
次に、第３の実施形態について説明する。【００５５】
第１の実施形態では、先端部７に２つの基板２２、３２が配置される構成であったが、第３の実施形態は、先端部７に１つの基板が配置される構成となっている。すなわち、第３の実施形態では、２つの撮像素子が配置される基板が共通の基板となっている。【００５６】
図８Ａは、第３の実施形態の挿入部の先端部の構成を示す斜視図であり、図８Ｂは、図８Ａを矢印Ｃ方向（背面方向）から見た図であり、図８Ｃは、図８Ａを矢印Ｄ方向（手前方向）から見た図である。【００５７】
図８Ａ〜図８Ｃに示すように、挿入部６の先端部７には、右眼用の対物光学系２０Ａと、対物光学系２０Ａにおける結像面に配置された撮像素子２１Ｂと、が配設されている。また、先端部７には、左目用の対物光学系３０Ａと、対物光学系３０Ａにおける結像面に配置された撮像素子３１Ｂと、が配設されている。さらに、先端部７には、基板７０が配設され、基板７０の一方の面に撮像素子２１Ｂが配置され、基板７０の他方の面に撮像素子３１Ｂが配置されている。【００５８】
対物光学系２０Ａは、図２Ａと同様に、対物レンズ２３と、プリズム２４とを有して構成されている。また、対物光学系３０Ａは、図２Ａと同様に、対物レンズ３３と、プリズム３４とを有して構成されている。ただし、プリズム２４及び３４の配置が図２と異なっている。本実施形態では、プリズム２４及び３４は、それぞれ被写体からの反射光を挿入部６の中心軸方向に全反射するように配置されている。【００５９】
このような構成により、右眼用の対物光学系２０Ａを介して撮像素子２１Ｂに撮像される被写体像と、左目用の対物光学系３０Ａを介して撮像素子３１Ｂに撮像される被写体像とが左右反転している。すなわち、対物光学系２０Ａ及び３０Ａは、撮像素子２１Ｂ及び３１Ｂへの結像画像を左右に反転させて結像させることになる。【００６０】
その他の構成及び画像データの読み出しタイミングの制御は、第１の実施形態と同様である。本実施形態の内視鏡によれば、第１の実施形態と同様の効果を得るとともに、１つの基板７０を先端部に有する構成であるため、第１の実施形態よりも挿入部６を細径化することができる。【００６１】
本発明は、上述した実施形態に限定されるものではなく、本発明の要旨を変えない範囲において、種々の変更、改変等が可能である。【００６２】
本出願は、２０１７年５月１９日に日本国に出願された特願２０１７−９９５５３号を優先権主張の基礎として出願するものであり、上記の開示内容は、本願明細書、請求の範囲に引用されるものとする。
【要約】
撮像装置は、同一の被写体を撮像し、画像をライン毎に順次読み出す複数の撮像素子２１及び３１と、複数の撮像素子２１及び３１への結像画像が、それぞれの撮像素子２１及び３１において結像位置が異なるように結像させる対物光学系２０及び２１と、複数の撮像素子２１及び２０が撮像した被写体の同一位置の複数の有効画像の先頭位置を一致させて読み出すために、複数の撮像素子２０及び２１の画像読み出しタイミングを制御するＩ２Ｃ制御回路５３及び５４と、を備える。【図１】
0006489671.tif 000002
【図２Ａ】
0006489671.tif 000003
【図２Ｂ】
0006489671.tif 000004
【図２Ｃ】
0006489671.tif 000005
【図３】
0006489671.tif 000006
【図４】
0006489671.tif 000007
【図５】
0006489671.tif 000008
【図６】
0006489671.tif 000009
【図７】
0006489671.tif 000010
【図８Ａ】
0006489671.tif 000011
【図８Ｂ】
0006489671.tif 000012
【図８Ｃ】
0006489671.tif 000013